(57)【特許請求の範囲】
【請求項１】
売場において、周囲から発散されるホルムアルデヒドの衣服への付着を防止するように袋によって包装された衣服を吊り下げた衣服吊下構造であって、
衣服ハンガのハンガ本体を、衣服掛部とその衣服掛部に着脱自在に取り付けられるフックとに分割し、前記衣服掛部とフックの着脱部となるその衣服掛部の上端部とフックの基端部の一方に軸部を設け、他方には、可撓性部材で形成されて前記軸部の外周面に半周を越えて嵌合する凹円弧面を有する係合部を設けて、その係合部を前記軸部に係合することにより、前記フックが前記衣服掛部に着脱自在に取り付けられ、
前記衣服掛部に衣服を掛けて袋に上記周囲から発散されるホルムアルデヒドの衣服への付着を防止するように収納した状態で、前記係合部を前記軸部に袋を介在して嵌め込んで、前記衣服掛部にフックを取り付けるとともに、前記袋をフックと衣服掛部とで破ることなく挟んで保持して、前記衣服ハンガにより衣服を吊り下げたことを特徴とする衣服吊下構造。
【請求項２】
請求項１に記載の衣服吊下構造に使用される衣服ハンガにおいて、ハンガ本体を、衣服掛部とその衣服掛部に着脱自在に取り付けられるフックとに分割し、前記衣服掛部の上端部に軸部を設け、前記フックの基端部に、可撓性部材で形成され、前記軸部の外周面に半周を越えて嵌合する凹円弧面を有する係合部を設けて、その係合部を前記軸部に係合することにより、前記フックが前記衣服掛部に着脱自在に取り付けられ、
前記軸部の前記係合部が嵌め込まれる側の反対側に、前記軸部と平行な突条を有するストッパを設け、前記係合部を前記軸部のまわりに回動させたときに、その凹円弧面の一方の周端部が前記ストッパの突条に係止され、前記係合部が前記突条との接触点を支点として前記軸部から外れるようにしたことを特徴とする衣服ハンガ。
【発明の詳細な説明】
【０００１】
【発明の属する技術分野】
この発明は、店舗の衣料品売場等で商品の衣服を掛けて吊り下げておくための衣服吊下構造およびそれに用いられる衣服ハンガに関する。
【０００２】
【従来の技術】
店舗の衣料品売場では、通常、商品の衣服の多くが衣服ハンガに掛けられて吊り下げられている。ハンガに掛けられた衣服は、一目でデザインを確認でき、折り畳んで並べる手間が不要で保管もしやすいが、包装のない状態で吊り下げられていると、売場によっては、周囲の壁や壁紙の接着剤等から発散されるホルムアルデヒドが付着している場合がある。そして、このようなホルムアルデヒドが付着した衣服を抵抗力の弱い乳児や幼児に着用させると、シックハウス症候群を起こすことがある。
【０００３】
【発明が解決しようとする課題】
そこで、この発明の課題は、衣服を袋に収納したまま吊り下げておくことができるようにすることである。
【０００４】
【課題を解決するための手段】
上記の課題を解決するため、この発明においては、衣服をハンガに掛けて吊り下げる際に、ハンガ本体を衣服掛部とフックとに分割し、前記衣服掛部に衣服を掛けて袋に収納した状態で、前記フックを袋の外側から衣服掛部に着脱自在に取り付ける手段を設けた衣服ハンガを使用するようにしたのである。
【０００５】
すなわち、衣服掛部に衣服を掛けて袋に収納した状態で、フックを袋の外側から衣服掛部に着脱自在に取り付けられるようにすることにより、衣服を袋に収納したまま吊り下げられるようにしたのである。
【０００６】
前記フックを袋の外側から衣服掛部に着脱自在に取り付ける手段は、前記衣服掛部の上端部に軸部を設け、前記フックの基端部に、可撓性部材で形成され、前記軸部の外周に半周を越えて係合する凹円弧面を有する係合部を設けて、この係合部を袋の外側から前記軸部の外周に嵌め込むようにしたものとすることができる。
【０００７】
前記軸部の外周面と前記係合部の凹円弧面のいずれか一方に、周方向に延びる突条を複数設けることにより、フックをよりスムーズに衣服掛部に着脱できるようにするとともに、軸部と係合部との係合面積を小さくして、軸部と係合部とに挟まれた袋を破れにくくすることができる。
【０００８】
前記軸部の前記係合部が嵌め込まれる側の反対側に、前記軸部と平行な突条を有するストッパを設け、前記係合部を前記軸部のまわりに回動させたときに、その凹円弧面の一方の周端部が前記ストッパの突条に係止され、前記係合部が前記突条との接触点を支点として前記軸部から外れるようにすることにより、フックを衣服掛部から楽に外すことができる。
【０００９】
【発明の実施の形態】
以下、図１乃至図５に基づき、この発明の実施形態を説明する。この衣服ハンガは、店舗の子供服売場用のもので、図１および図２に示すように、可撓性を有するプラスチック部材で形成されたハンガ本体が、衣服掛部１とフック２とに分割されており、衣服掛部１に乳児服３を掛けて透明の袋４に収納した状態で、フック２の基端部に設けた係合部５を衣服掛部１の上端部に嵌め込むことにより、フック２を袋４の外側から衣服掛部１に取り付けられるようになっている。
【００１０】
前記衣服掛部１の上端部には、図２および図４に示すように、円形断面のフレーム１ａの途中に、フレーム１ａより小径の軸部６が形成されており、軸部６の外周面に、周方向に延びる３本の突条６ａが設けられている。また、フック２の係合部５が嵌め込まれる側の反対側には板状のストッパ７が設けられ、その両側面に軸部６と平行な突条７ａが形成されている。
【００１１】
一方、前記フック２の係合部５は、ハンガ本体と同じプラスチック製で、図２および図３に示すように、衣服掛部１の軸部６の外周に半周を越えて係合する凹円弧面５ａが、軸部６と概ね同じ長さで形成されており、この係合部５を撓ませながら軸部６の外周に嵌め込むことにより、フック２を衣服掛部１に着脱自在に取り付けることができる。なお、係合部５の凹円弧面５ａの両周端部５ｂは、外側に向かって広がるように形成されており、係合部５の軸部６外周への嵌め込みがスムーズに行われるようになっている。また、係合部５の外側面には、補強用のリブ５ｃが設けられている。
【００１２】
前記フック２を衣服掛部１から外すときは、図５（ａ）に示す状態から、図５（ｂ）に示すように係合部５を軸部６のまわりに回動させて、その凹円弧面５ａの一方の周端部５ｂをストッパ７の突条７ａで係止した状態で、図５（ｃ）に示すように係合部５をさらに回動させる方向に力を加え、係合部５を撓ませて軸部６から外すようにすればよい。このとき、係合部５の周端部５ｂと突条７ａとの接触点がてこの支点となるので、フック２先端側に係合部５の回動方向の力を加えることにより、係合部５を軸部６から引き抜く場合に比べて、小さい力で楽にフック２を外すことができる。なお、突条７ａはストッパ７の両側面に設けられているので、係合部５をどちらの方向に回動させてもフック２は楽に外せる。
【００１３】
また、前記フック２を袋４の外側から衣服掛部１に着脱するときには、軸部６と係合部５とに挟まれた袋４を剪断する方向に摩擦力が作用するが、軸部６外周面に周方向に延びる突条６ａが設けられているので、係合部５の凹円弧面５ａと軸部６の外周面とが全面で係合する場合よりも、フック２の着脱がスムーズで、係合面積が小さく、袋４が破れるおそれが少ない。
【００１４】
従って、この衣服ハンガでは、服３を袋４に収納したまま吊り下げられるだけでなく、服３の手触りを確認したいとき等には、袋４を破ることなくフック２を外して服３を取り出すこともできる。
【００１５】
上述した実施形態では、フックを袋の外側から衣服掛部に着脱自在に取り付ける手段として、フックの基端部に設けた凹円弧面を有する係合部を衣服掛部の上端部の軸部に嵌め込むようにしたが、フック側に軸部を、衣服掛部側に凹円弧面をそれぞれ設けて、軸部を凹円弧面に嵌め込むようにすることもできる。
【００１６】
また、ハンガ本体および係合部はプラスチック製としたが、係合部のみを可撓性部材で形成するようにしてもよい。また、その材質は、プラスチックに限らず、係合部を袋の外側から衣服掛部の軸部に簡単に嵌め込むことができる可撓性を有しておれば、どのようなものでもよい。
【００１７】
さらに、フックを外すときに係合部を係止する軸部と平行な突条は、ストッパの両側面に設けたが、一方の側面にのみ設けるようにしてもよい。
【００１８】
【発明の効果】
以上のように、この発明の衣服ハンガは、ハンガ本体を衣服掛部とフックとに分割し、衣服掛部に衣服を掛けて袋に収納した状態で、フックを袋の外側から衣服掛部に着脱自在に取り付ける手段を設けたものであるから、衣服を袋に収納したまま吊り下げることにより、周囲の壁等から発散されるホルムアルデヒドの衣服への付着を防止して、衣服の安全性を確保することができる。
【図面の簡単な説明】
【図１】実施形態の衣服ハンガの正面図
【図２】図１の要部の分解斜視図
【図３】ａは図１の衣服ハンガのフックの要部の正面図、ｂはａの側面図
【図４】ａは図１の衣服ハンガの衣服掛部の要部の正面図、ｂはａのＡ−Ａ線に沿った断面図
【図５】ａ、ｂ、ｃは、それぞれ図１の衣服ハンガのフックを取り外す手順を示す要部の断面図
【符号の説明】
１  衣服掛部
１ａ  フレーム
２  フック
３  服
４  袋
５  係合部
５ａ  凹円弧面
５ｂ  周端部
５ｃ  リブ
６  軸部
６ａ  突条
７  ストッパ
７ａ  突条
【図１】
0003665801.tif 000002
【図２】
0003665801.tif 000003
【図３】
0003665801.tif 000004
【図４】
0003665801.tif 000005
【図５】
0003665801.tif 000006